(57)【要約】【課題】  複数の操作ボタンを有する情報処理装置の操作性を向上させる。【解決手段】  複数の操作ボタンＫ１〜Ｋ１２は、それぞれ発光部を有して独立して点灯と消灯が行える。制御部６は、複数の操作ボタンＫ１〜Ｋ１２の中で、操作を有効とする操作ボタンと操作を無効とする操作ボタンを判断し、操作を有効とする操作ボタンは点灯させ、操作を無効とする操作ボタンは消灯させる。これにより、操作が有効な操作ボタンと無効な操作ボタンが容易に認識できるようになる。【選択図】        図１
2005332189.tif 000002
【特許請求の範囲】
【請求項１】
ユーザの操作を受ける複数の操作手段を備えた情報処理装置において、
前記各操作手段を独立して発光させる自照手段と、
前記複数の操作手段の中で、操作を有効とする操作手段と操作を無効とする操作手段を判断し、操作が有効な操作手段と無効な操作手段に応じて前記自照手段の発光の有無を制御する制御手段と
を備えたことを特徴とする情報処理装置。
【請求項２】
前記制御手段は、機器の動作状態に応じて操作が有効となった操作手段の前記自照手段を点灯させ、操作が無効となった操作手段の前記自照手段を消灯させる
ことを特徴とする請求項１記載の情報処理装置。
【請求項３】
前記制御手段は、操作が有効な前記操作手段において前記自照手段の点灯と点滅を、機器の動作状況に応じて制御する
ことを特徴とする請求項２記載の情報処理装置。
【請求項４】
前記自照手段は、少なくとも２色の発光色を有し、
前記制御手段は、前記自照手段の発光色を選択して所定の発光色で前記操作手段を発光させる
ことを特徴とする請求項１記載の情報処理装置。
【請求項５】
前記制御手段は、操作が有効な前記操作手段において前記自照手段の発光色を機器の動作状況に応じて制御する
ことを特徴とする請求項４記載の情報処理装置。
【請求項６】
記録手段に記録された情報を読み取り再生を行う再生手段を更に備え、
前記制御手段は、前記記録手段に付随する識別情報に応じて操作を有効とする操作手段を判断し、前記操作を有効とした操作手段に対応した前記自照手段の発光を制御する
ことを特徴とする請求項１記載の情報処理装置。
【請求項７】
前記操作手段は、該操作手段が操作されることで実行される機能を特定する特定情報が図示された操作ボタンで、
前記自照手段は、前記特定情報を認識可能に前記操作ボタンを発光させる
ことを特徴とする請求項１記載の情報処理装置。
【請求項８】
ユーザの操作を受ける複数の操作手段を備えた情報処理装置の入力支援方法において、
前記複数の操作手段の中で、操作を有効とする操作手段と操作を無効とする操作手段を判断し、操作が有効となった操作手段を点灯し、操作が無効となった操作手段を消灯する
ことを特徴とする情報処理装置の入力支援方法。
【請求項９】
機器の動作状況に応じて前記操作手段の点灯と点滅を切り替える
ことを特徴とする請求項８記載の情報処理装置の入力支援方法。
【請求項１０】
機器の動作状況に応じて前記操作手段の発光色を切り替える
ことを特徴とする請求項８記載の情報処理装置の入力支援方法。
【発明の詳細な説明】
【技術分野】
【０００１】
本発明は、ユーザの操作を受ける複数の操作ボタン類を備えた情報処理装置および情報処理装置の入力支援方法に関する。詳しくは、機器の動作状況に応じて操作を有効とする操作ボタンと操作を無効とする操作ボタンの発光の有無を切り替えることで、操作が行える操作ボタンを容易に認識できるようにしたものである。
【背景技術】
【０００２】
オーディオ機器等の電子機器では、多機能化が進むに従って機器を操作する操作ボタンも増加している。操作ボタンの増加により操作に迷ったり、該当するボタンを探したりすることになる。このように、電子機器では機能の増加に比例して操作ボタンの数が増加することにより、操作性が悪化している。
【０００３】
さて、パーソナルコンピュータやテレビジョン受信機では、画面の表示を見ながら各種設定を行える機能が実現されている。そして、画面に表示される設定項目の中で、設定の変更が禁止されている設定項目が存在する場合は、例えば該当設定項目をハーフトーン表示として区別できるようにした技術が提案されている（例えば、特許文献１参照。）。
【０００４】
【特許文献１】特開平５−７５９４６号公報
【発明の開示】
【発明が解決しようとする課題】
【０００５】
しかし、表示している設定項目の中で、設定変更を禁止している項目をハーフトーン表示等として区別できるようにしても、操作ボタン側ではどのボタンの操作が有効で、どのボタンの操作は無効であるかは認識できない。
【０００６】
従来、操作ボタンにラベルをつけたり、操作ボタンを点灯させることで視認性が向上するようにしているが、操作ボタンを点灯させる場合、全ての操作ボタンを点灯させるのが一般的である。
【０００７】
このため、実際に操作ボタンを押して操作が有効であるかどうかを判断することになり、操作に迷ったり、該当するボタンを探すことになり、操作性が悪いという問題があった。
【０００８】
本発明は、このような課題を解決するためになされたもので、操作性が向上した情報処理装置および情報処理装置の入力支援方法を提供することを目的とする。
【課題を解決するための手段】
【０００９】
上述した課題を解決するため、本発明に係る情報処理装置は、ユーザの操作を受ける複数の操作手段を備えた情報処理装置において、各操作手段を独立して発光させる自照手段と、複数の操作手段の中で、操作を有効とする操作手段と操作を無効とする操作手段を判断し、操作が有効な操作手段と無効な操作手段に応じて自照手段の発光の有無を制御する制御手段とを備えたものである。
【００１０】
本発明の情報処理装置では、複数の操作手段の中で、操作を有効とする操作手段と操作を無効とする操作手段が判断される。操作が有効な操作手段と無効な操作手段に応じて自照手段の発光の有無が制御される。
【００１１】
これにより、操作が有効な操作手段と操作が無効な操作手段は、発光の有無で区別される。
【００１２】
また、本発明に係る情報処理装置の入力支援方法は、ユーザの操作を受ける複数の操作手段を備えた情報処理装置の入力支援方法において、複数の操作手段の中で、操作を有効とする操作手段と操作を無効とする操作手段を判断し、操作が有効となった操作手段を点灯し、操作が無効となった操作手段を消灯する処理である。
【００１３】
本発明の情報処理装置の入力支援方法では、複数の操作手段の中で、操作を有効とする操作手段と操作を無効とする操作手段が判断される。操作が有効な操作手段は点灯させ、操作が無効な操作手段は消灯させる。
【００１４】
これにより、操作が有効な操作手段のみが点灯し、ユーザによる入力を支援する。
【発明の効果】
【００１５】
本発明によれば、情報処理装置に備えられる複数の操作手段の中で、操作を有効とする操作手段と操作を無効とする操作手段で発光の有無を切り替えるので、操作を無効とした操作手段と比較して、操作を有効とした操作手段を容易に認識できる。
【００１６】
これにより、ユーザは多くの操作手段の中から実際に操作できる操作手段を容易に認識できるので、操作に戸惑うことや、操作できる操作手段を探す手間を軽減でき、操作性が向上する。
【発明を実施するための最良の形態】
【００１７】
以下に、図面を参照して本発明の情報処理装置の実施の形態について説明する。本実施の形態では、情報処理装置として車載オーディオ機器を例に説明する。
【００１８】
＜車載オーディオ機器の構成＞
図１は本実施の形態の車載オーディオ機器の構成例を示すブロック図である。本実施の形態の車載オーディオ機器１は、例えばＣＤ（Compact Disc）プレーヤとチューナを搭載し、ユーザの操作に応じてＣＤの再生やラジオの再生を行う。
【００１９】
車載オーディオ機器１は、再生手段としてディスクドライブ部２を備える。ディスクドライブ部２は図示しない光ピックアップ等を備え、記録手段としてＣＤ等のディスクより情報を読み取り、再生を行う機能を有する。
【００２０】
車載オーディオ機器１はチューナ部３を備える。チューナ部３は図示しないアンテナと接続されてラジオ放送を受信する機能を有する。
【００２１】
車載オーディオ機器１は、ユーザの操作を受ける入力部４を備える。入力部４は操作手段として複数の操作ボタンＫ１〜Ｋ１２を備える。各操作ボタンＫ１〜Ｋ１２はそれぞれ発光部を備え、各操作ボタンＫ１〜Ｋ１２はそれぞれ独立して操作可能で、かつ、それぞれ独立して発光および消灯が可能である。
【００２２】
図２は操作ボタンの構成例を示す側断面図である。各操作ボタンＫ１〜Ｋ１２は、車載オーディオ機器１の筐体１ａに対して可動に支持されるカバー部１１と、カバー部１１に押されるスイッチ部１２と、発光ダイオード等の発光部１３を備える。スイッチ部１２と発光部１３は基板１４等に搭載される。
【００２３】
カバー部１１には、後述するように、操作ボタンが押されたときに実行できる機能が文字等で図示されている。この文字部分１１ａが例えば光を透過するように構成される。発光部１３は自照手段の一例で、文字部分１１ａに対向してカバー部１１の内部に設けられる。これにより、発光部１３が発光すると、カバー部１１の文字部分１１ａが点灯する。
【００２４】
なお、操作ボタンはカバー部１１ａが押されることでスイッチ部１２が押され、操作ボタンが押されたことを検出できるようになっている。これにより、各操作ボタンＫ１〜Ｋ１２は、それぞれ独立して操作可能で、かつ、それぞれ独立して発光および消灯が可能である。
【００２５】
図１に戻り、車載オーディオ機器１は、表示部５を備える。表示部５は液晶ディスプレイ等で構成され、例えば時計、再生中の曲番等が表示される。なお、表示部５は１つのディスプレイで構成されるものでも良いし、複数のディスプレイで構成されるものでも良い。
【００２６】
車載オーディオ機器１は、制御手段として各部を制御する制御部６を備える。制御部６はＣＰＵ（中央演算処理装置）とメモリ等で構成される。制御部６は各操作ボタンＫ１〜Ｋ１２の操作を受け、操作された操作ボタンに応じた制御を行う。
【００２７】
車載オーディオ機器１は、外部Ｉ／Ｏ７を介して例えばＣＤチェンジャ８が接続される。ＣＤチェンジャ８は車のトランクルーム等に設置され、６〜１２枚程度のＣＤを一度に格納して、任意のＣＤを再生できる構成である。
【００２８】
なお、車載オーディオ機器１は、ＨＤＤ（ハードディスクドライブ装置）等の記憶装置等を備えてもよい。更に、再生手段としてＭＤ（ミニディスク）プレーヤ等を備えてもよい。
【００２９】
＜操作パネルの構成＞
図３は車載オーディオ機器の操作パネルの構成例を示す正面図である。操作パネル９は図１に示す操作ボタンＫ１〜Ｋ１２と表示部５を備える。表示部５の表示は車載オーディオ機器１の動作状態に応じて変化する。なお、図３に示す形態は、いわゆる１ＤＩＮ型と呼ばれるタイプである。
【００３０】
各操作ボタンＫ１〜Ｋ１２は、それぞれ実行できる機能が文字等の特定情報として図示されている。各操作ボタンに割り当てられている機能について説明すると、操作ボタンＫ１はＳＯＵＲＣＥ（ソース）ボタンである。ＳＯＵＲＣＥボタンＫ１は、音情報を出力するソースの選択を行う際に使用される。本例では、ＳＯＵＲＣＥボタンＫ１を押す毎に、チューナ→ＣＤ→チューナ・・・とソースが切り替わる。
【００３１】
操作ボタンＫ２はＤＳＰＬ（ディスプレイ）ボタンである。ＤＳＰＬボタンＫ２は、ディスプレイ５の表示切替を行う際に使用される。ＣＤ再生時は、ＤＳＰＬボタンＫ２を押す毎に、ＤＴＭＳ→ディスク名→トラック名→時計→ＤＴＭＳ・・・のように表示が切り替わる。ここで、ＤＴＭＳとは、ＣＤのトラックを番号で表示する一般的な表示形態である。
【００３２】
操作ボタンＫ３はＳＣＲＬ（スクロール）ボタンである。ＳＣＲＬボタンＫ３は、ディスプレイ５に表示される文字列をスクロールさせる際に使用される。表示部５に一度に表示できる文字列（例えば８文字等）を超える文字列の場合、ＳＣＲＬボタンＫ３を押すことで文字列がスクロールする。これにより、全ての文字を表示できるようにしている。
【００３３】
操作ボタンＫ４はＯＦＦ（オフ）ボタンである。ＯＦＦボタンＫ４はソースをオフする際に使用される。また、ＯＦＦボタンＫ４を２秒の長押しすることで、サスペンド状態（低消費電力の待機状態）に移行する。
【００３４】
操作ボタンＫ５はＭＯＤＥ（モード）ボタンである。ＭＯＤＥボタンＫ５は、モードを選択する際に使用され、ソースがチューナの時には放送局を切り替える際に使用される。例えば、ＭＯＤＥボタンＫ５を押す毎に、ＦＭ１→ＦＭ２・・・ＦＭｎ→ＡＭ１→ＡＭ２・・・ＡＭｎ→ＦＭ１・・・と選択した放送局が切り替わる。
【００３５】
また、ソースがＣＤの場合でＣＤチェンジャ８の接続等により複数のＣＤソースがある場合、各ＣＤ間を移動する際に使用される。例えば、ＭＯＤＥボタンＫ５を押す毎に、ＣＤ１→ＣＤ２・・・と選択したＣＤが切り替わる。
【００３６】
操作ボタンＫ６はＳＯＵＮＤ（サウンド）ボタンである。ＳＯＵＮＤボタンＫ６は、左右のスピーカのバランスを調整するＬ−Ｒバランス調整等、音の出力を調整する際に使用される。
【００３７】
操作ボタンＫ７は＋／−ボタンである。＋／−ボタンＫ７は、ＣＤチェンジャ８等が接続されている場合に再生するディスクを切り替えるディスクＵＰ／ＤＯＷＮ操作に使用される。またラジオで放送局をプリセット番号ＵＰ／ＤＯＷＮ方向にプリセット呼び出しする場合のＵＰ／ＤＯＷＮ操作に使用される。
【００３８】
操作ボタンＫ８はＯＰＥＮ（オープン）ボタンである。ＯＰＥＮボタンＫ８は操作パネル９の開閉操作に使用される。図示しないが操作パネル９を開くと、本例ではＣＤの挿入口が表れる。このため、ＯＰＥＮボタンＫ８はＣＤの取り出しや挿入のために操作パネル９を開閉する際に操作される。
【００３９】
操作ボタンＫ９はＭＥＮＵ（メニュー）ボタンである。ＭＥＮＵボタンＫ９はＢｅｅｐ（ブザー）音のＯＮ／ＯＦＦ等の各種設定を行うメニューモードに入る操作およびメニューモードを終了させる操作に使用される。
【００４０】
操作ボタンＫ１０はＡＭＳ（自動音楽サーチ），ＳＥＥＫ（放送局サーチ）＋／−ボタンである。ＡＭＳ，ＳＥＥＫ＋／−ボタンＫ１０は、再生するＣＤのトラックを変更するトラックＵｐ／Ｄｏｗｎ操作に使用される。また、ラジオの周波数を選択するＵｐ／Ｄｏｗｎ操作に使用される。なお、以下の説明では操作ボタンＫ１０はＡＭＳ＋／−ボタンと称す。
【００４１】
操作ボタンＫ１１はＬＩＳＴ（リスト）ボタンである。ＬＩＳＴボタンＫ１１はＣＤチェンジャ８のディスクリストの一覧を表示する際に使用される。また、ラジオでプリセットされた放送局のリストの一覧を表示する際に使用される。
【００４２】
操作ボタンＫ１２はＥＮＴＥＲ（エンター）ボタンである。ＥＮＴＥＲボタンＫ１２は、メニュー画面で設定を選択する際に使用される。また、リスト画面でＣＤ等を選択する際に使用される。
【００４３】
＜全体動作例＞
以下に、本発明の情報処理装置の入力支援方法の実施の形態を、本実施の形態の車載オーディオ機器１の動作として説明する。図４は車載オーディオ機器１の全体的な処理を示すフローチャートである。図４に示すフローチャート１００の処理は、車載オーディオ機器１の動作状態が変化したとき、また、「メニュー」等の表示が所定の時間を経過すること（タイムアウト）でＣＤ再生時表示等に戻る場合に実行される。
【００４４】
ステップ１０１は車載オーディオ機器１の動作状態をチェックしている。本例の車載オーディオ機器１は、ＡＭ／ＦＭチューナとＣＤプレーヤが搭載されているものとする。このため、車載オーディオ機器１が取り得る状態として以下の３つの状態が存在する。第１の状態は音楽ソースを出力していない「ソースＯＦＦ」の状態である。第２の状態はＣＤ再生中である「ＣＤ再生時」の状態である。第３の状態はチューナでラジオを聞いている「チューナ再生」の状態である。
【００４５】
車載オーディオ機器１の制御部６は、自機器の動作状態に応じてステップ２００の「ソースＯＦＦ時の操作ボタン点灯処理」、ステップ３００の「ＣＤ再生時の操作ボタン点灯処理」、ステップ４００の「チューナ再生時の操作ボタン点灯処理」を実行する。各ステップ２００、３００、４００の処理をフロー２００、３００、４００として図５、図６、図７に示し、以下に各処理について説明する。
【００４６】
＜ソースＯＦＦ時の操作ボタン点灯処理＞
図５はソースＯＦＦ時の各操作ボタンの点灯処理を示すフローチャートである。フローチャート２００の処理は、図４に示すステップ１０１で制御部６が車載オーディオ機器１の動作状態をチェックして、車載オーディオ機器１が「ソースＯＦＦ」の状態であると判断した場合に実行される。
【００４７】
ステップ２０１は、車載オーディオ機器１が「サスペンド状態」であるかどうかをチェックしている。車載オーディオ機器１は、車のイグニッションキーがＯＦＦのポジションにあるときはサスペンド状態となる。
【００４８】
通常、イグニッションキーがＡＣＣ（アクセサリ）のポジションにセットされないと車載オーディオ機器１は動作できない。このため、ステップ２０１で車載オーディオ機器１がサスペンド状態であると、制御部６は全ての操作ボタンＫ１〜Ｋ１２の点灯は行わず、フローチャート２００の処理を抜ける。
【００４９】
これに対してステップ２０１で車載オーディオ機器１がサスペンド状態でないと判断された場合は、次の条件判断へ進む。
【００５０】
ここで、車載オーディオ機器１は、ユーザの操作で強制的にサスペンド状態へ移行することが可能となっている。すなわち、例えば後述する時計表示の状態で、ＯＦＦボタンＫ４が２秒以上長押しされると、制御部６は車のイグニッションキーがＡＣＣポジションにあっても、車載オーディオ機器１をサスペンド状態に移行する。
【００５１】
このように、ユーザの操作で強制的にサスペンド状態へ移行した後、ステップ２０１のチェックが行われた場合も、サスペンド状態のままであれば全操作ボタンの点灯処理を行うことなく、フローチャート２００の処理を抜ける。
【００５２】
ステップ２０２は、車載オーディオ機器１が「サスペンド状態」ではないとステップ２０１で判断された場合、車載オーディオ機器１の状態が、通常使用におけるソースＯＦＦ状態である「時計表示」の状態かどうかをチェックしている。本例では、車載オーディオ機器１が動作していないときは、制御部６は操作パネル９の表示部５に時計を表示する。
【００５３】
ソースＯＦＦ時で時計表示中は、制御部６はステップ２０３の処理を行う。また、時計表示でないときは車載オーディオ機器１の基本設定を行う「メニュー画面」を表示している状態である場合も考えられるので、次の条件判断のステップ２０４に進む。
【００５４】
ステップ２０３は、車載オーディオ機器１においてソースＯＦＦで時計表示中に操作が有効な操作ボタンを点灯させる処理を示す。ソースＯＦＦ時で時計表示中は、制御部６はＳＯＵＲＣＥボタンＫ１と、ＯＦＦボタンＫ４と、ＯＰＥＮボタンＫ８と、ＭＥＮＵボタンＫ９での操作を有効とする。
【００５５】
このため、制御部６はこれらＳＯＵＲＣＥボタンＫ１、ＯＦＦボタンＫ４、ＯＰＥＮボタンＫ８およびＭＥＮＵボタンＫ９の発光部をそれぞれ点灯させ、その他の操作ボタンの発光部は消灯させる。
【００５６】
図８はソースＯＦＦ時で時計表示中の操作パネルの状態例を示す説明図である。ソースＯＦＦ時で時計表示中は、ＳＯＵＲＣＥボタンＫ１、ＯＦＦボタンＫ４、ＯＰＥＮボタンＫ８およびＭＥＮＵボタンＫ９が点灯し、他の８個の操作ボタンは消灯した状態である。これにより、ソースＯＦＦ時で時計表示中に操作が有効な操作ボタンと、操作が無効な操作ボタンが各ボタンの点灯の有無で区別される。なお、表示部５には時計表示の他、デモ表示が行われても良い。
【００５７】
ソースＯＦＦ時の時計表示では、ＳＯＵＲＣＥボタンＫ１は、ソースを選択する際に使用されるため操作を有効とする。ＳＯＵＲＣＥボタンＫ１が押されると、制御部６はディスクドライブ装置２にＣＤがセットされている場合はソースとしてＣＤを選択し、ＣＤがセットされていない場合はソースとしてチューナを選択する。
【００５８】
ＯＦＦボタンＫ４は、ユーザが車載オーディオ機器１を強制的にサスペンド状態に移行させる際に使用されるため操作を有効とする。ＯＦＦボタンＫ４が２秒長押しされると、制御部６は車載オーディオ機器１をサスペンド状態に移行する。なお、ＯＦＦボタンＫ４の押下時間が２秒未満である場合は、操作は無効となる。
【００５９】
ＯＰＥＮボタンＫ８はＣＤの出し入れのため操作パネル９を開閉する際に使用されるため操作を有効とする。ＯＰＥＮボタンＫ８が押されると、制御部６は操作パネル９を開き、ＣＤの着脱をできる状態とする。
【００６０】
ＭＥＮＵボタンＫ９は、車載オーディオ機器１の基本的な設定を行うメニュー画面を表示する際に使用されるため操作を有効とする。ＭＥＮＵボタンＫ９が押されると、制御部６は表示部５にメニュー画面を表示するが、表示されるメニュー画面は「ソースＯＦＦ」、「ＣＤ再生」、「チューナ再生」の状態により変化する。
【００６１】
ソースＯＦＦ時にＭＥＮＵボタンＫ９が押されると、制御部６は時計合わせや操作ボタンの発光色（緑や橙色の選択）の選択等が行えるメニュー画面を表示する。
【００６２】
図５に戻り、ステップ２０４は、ソースＯＦＦ時に「時計表示」を行っていないとステップ２０２で判断された場合、「メニュー画面」を表示している状態かどうかをチェックしている。
【００６３】
本例では、ソースＯＦＦ時は、図８に示す時計表示中にＭＥＮＵボタンＫ９が押されると、制御部６は後述するように操作パネル９では表示部５にメニュー画面を表示すると共に、各操作ボタンの点灯の有無を切り替える。また、メニュー画面の表示を抜けると時計表示に戻る。
【００６４】
このため、本例ではサスペンド状態ではないソースＯＦＦ時は時計表示かメニュー画面表示かのいずれかであるので、ステップ２０２の判断で時計表示でなければ必ずメニュー画面の表示中になるため、ステップ２０４の判断でメニュー画面の表示ではないと判断されることはない。
【００６５】
従って、本例では、フローチャート２００からステップ２０４の判断は省略してもよいが、ソースＯＦＦ時に時計表示とメニュー画面の表示以外の表示が加わりチェック項目が更に増えた場合は、ステップ２０４の判断が必要となる。このため、ステップ２０４の判断を入れている。
【００６６】
ステップ２０５は、ソースＯＦＦ時でメニュー画面の表示中に有効な操作ボタンを点灯させる処理を示す。ソースＯＦＦ時でメニュー画面の表示中は、制御部６はステップ２０３で操作を有効として点灯させた操作ボタンの中で、ＭＥＮＵボタンＫ９は操作を無効として消灯させると共に、＋／−ボタンＫ７とＥＮＴＥＲボタンＫ１２での操作を有効とする。
【００６７】
このため、制御部６は、ＳＯＵＲＣＥボタンＫ１、ＯＦＦボタンＫ４、＋／−ボタンＫ７、ＯＰＥＮボタンＫ８、およびＥＮＴＥＲボタンＫ１２を点灯させ、その他の操作ボタンは消灯させる。
【００６８】
ＳＯＵＲＣＥボタンＫ１、ＯＦＦボタンＫ４およびＯＰＥＮボタンＫ８の説明はステップ２０３と同じであるので、説明を省略する。
【００６９】
＋／−ボタンＫ７は、複数あるメニューの設定項目を選択する際に使用されるため操作を有効とする。＋／−ボタンＫ７の＋ボタンあるいは−ボタンが押されると、制御部６は表示部５に表示される設定項目を順に変更して、設定値を変更できる設定項目が選択できるようにする。
【００７０】
ＥＮＴＥＲボタンＫ１２はメニュー画面の表示から抜ける際に使用されるため操作を有効とする。ＥＮＴＥＲボタンＫ１２が押されると、制御部６は表示部５の表示をメニュー画面から時計表示に切り替えると共に、各操作ボタンの点灯の有無を図８に示す点灯パターンに切り替える。
【００７１】
なお、ソースＯＦＦ時にメニュー画面が表示されるのは、ステップ２０３の時計表示でユーザによりＭＥＮＵボタンＫ９が押された場合であり、ユーザの操作によってメニュー画面が表示されている。
【００７２】
このため、ユーザは何らかの設定変更を行うものと考えて、メニュー画面の表示中はＳＯＵＲＣＥボタンＫ１、ＯＦＦボタンＫ４およびＯＰＥＮボタンＫ８の操作を無効として消灯させる形態も考えられる。
【００７３】
この場合は、ユーザの意思でＥＮＴＥＲボタンＫ１２を操作してメニュー画面から抜けないと他の操作ができない。このため、本例では誤ってメニュー画面に入った場合にＥＮＴＥＲボタンＫ１２を操作をせずに直接ソースの選択等をできるようにするため、ＳＯＵＲＣＥボタンＫ１、ＯＦＦボタンＫ４およびＯＰＥＮボタンＫ８を有効にしている。
【００７４】
ステップ２０６は、表示部５に表示されている設定項目の設定値の選択が、ＯＮとＯＦＦの切り替えにより行われるものであるかどうかをチェックしている。
【００７５】
ステップ２０７は、設定値の選択がＯＮとＯＦＦの切り替えにより行われるものであるとステップ２０６で判断された場合、操作が有効となる操作ボタンを点灯させる処理を示す。
【００７６】
設定値の選択がＯＮとＯＦＦの切り替えにより行われるものである場合、ＯＮとＯＦＦの切り替えを行う際に使用されるため、制御部６はステップ２０５で点灯させて操作が有効であることを示した操作ボタンに加え、更にＡＭＳ＋／−ボタンＫ１０の＋ボタンを点灯させ、ＡＭＳ＋／−ボタンＫ１０の＋ボタンでの操作を有効とする。
【００７７】
本例では、設定値の選択をＯＮとＯＦＦの切り替えにより行う設定項目では、ＡＭＳ＋／−ボタンＫ１０の＋ボタンを押す毎に、ＯＮとＯＦＦが切り替わるように設定されている。
【００７８】
これにより、メニュー画面の表示中に＋／−ボタンＫ７の操作で設定項目の選択が行われ、表示した設定項目がＯＮとＯＦＦの切り替えで設定値の選択を行うものである場合は、ＡＭＳ＋／−ボタンＫ１０の＋ボタンの操作を有効として、ＡＭＳ＋／−ボタンＫ１０の操作でＯＮかＯＦＦの選択が行われる。
【００７９】
図９はソースＯＦＦ時でメニュー表示中の操作パネルの状態例を示す説明図である。ソースＯＦＦ時でメニュー画面表示中は、時計表示では消灯していた＋／−ボタンＫ７とＥＮＴＥＲボタンＫ１２、およびＡＭＳ＋／−ボタンＫ１０が新たに点灯している。また、時計表示で点灯していたＭＥＮＵボタンＫ９は消灯している。
【００８０】
これは、ＭＥＮＵボタンＫ９が押されたことにより時計表示がメニュー画面の表示になると、メニュー画面で設定項目を選択する際に使用される＋／−ボタンＫ７と、設定項目で設定値を選択する際に使用されるＡＭＳ＋／−ボタンＫ１０および設定項目を表示されている設定値で確定する際に使用されるＥＮＴＥＲボタンＫ１２が操作が有効な操作ボタンとなり、ＭＥＮＵボタンＫ９が操作が無効な操作ボタンとなったためである。
【００８１】
ここで、図９の例では、設定項目としてＢｅｅｐ音の出力を有効とするか無効とするかを設定するメニューが選択されている。Ｂｅｅｐ音の設定はＯＮとＯＦＦの切り替えで設定値が選択されるので、設定値を選択する操作ボタンとしてＡＭＳ＋／−ボタンＫ１０の＋ボタンのみを点灯させている。
【００８２】
図９（ａ）と図９（ｂ）はＡＭＳ＋／−ボタンＫ１０の＋ボタンの操作で設定値を変更した状態を示している。図９（ａ）ではＢｅｅｐ音の出力に関する設定項目の設定値がＯＮに設定されている。
【００８３】
この状態からＡＭＳ＋／−ボタンＫ１０の＋ボタンが押されると、制御部６はＢｅｅｐ音の設定項目の設定値を図９（ｂ）に示すようにＯＦＦに変更する。なお、図９（ｂ）の状態からＡＭＳ＋／−ボタンＫ１０の＋ボタンが押されると、Ｂｅｅｐ音の設定項目の設定値は図９（ａ）に示すようにＯＮに変更される。
【００８４】
ここで、設定値の変更では、新たに有効になる操作ボタンや無効になる操作ボタンは無いため、点灯しているボタンの数に変化はない。
【００８５】
なお、図９（ｂ）に示す状態でＥＮＴＥＲボタンＫ１２が押されると、Ｂｅｅｐ音の設定値はＯＦＦで確定し、メニュー画面から抜けて図８に示す時計表示に戻る。また、操作ボタンの点灯パターンも時計表示時に合わせて切り替える。
【００８６】
図５に戻り、ステップ２０８は、表示部５に表示されることで選択されている設定項目が、設定値の選択をＯＮとＯＦＦの切り替えにより行うものではないとステップ２０６で判断された場合、複数の選択肢がある設定項目であるか否かのチェックを行っている。
【００８７】
なお、本例では、各設定項目は設定値の選択をＯＮとＯＦＦの切り替えにより行うものか、複数の選択肢の中から選択するものの２種類であるので、ステップ２０６の判断でＯＮとＯＦＦの切り替えを行うものでなければ必ず複数の選択肢があるものになる。このため、ステップ２０８の判断で複数の選択肢があるものではないと判断されることはない。
【００８８】
従って、本例では、フローチャート２００からステップ２０８の判断は省略してもよいが、設定値の選択をＯＮとＯＦＦの切り替えにより行うものと複数の選択肢の中から選択するもの以外が加わりチェック項目が更に増えた場合は、ステップ２０８の判断が必要となる。このため、ステップ２０８の判断を入れている。
【００８９】
ステップ２０９は、設定項目が設定値の選択を複数の選択肢の中から選択するものであるとステップ２０８で判断された場合、操作が有効となる操作ボタンを点灯させる処理を示す。
【００９０】
設定値の選択が複数の選択肢の中からの選択により行われるものである場合、複数の選択肢から所望の設定値を選択する際に使用されるため、制御部６はステップ２０５で点灯させた操作ボタンに加え、ＡＭＳ＋／−ボタンＫ１０の＋ボタンと−ボタンの両方を点灯させ、ＡＭＳ＋／−ボタンＫ１０での操作を有効とする。
【００９１】
本例では、設定値に複数の選択肢がある設定項目では、ＡＭＳ＋／−ボタンＫ１０の＋ボタンあるいは−ボタンを押す毎に、設定値が切り替わるように設定されている。
【００９２】
これにより、メニュー画面の表示中に＋／−ボタンＫ７の操作で設定項目の選択が行われ、表示した設定項目が複数の選択肢の中から設定値を選択するものである場合は、ＡＭＳ＋／−ボタンＫ１０の操作を有効として、ＡＭＳ＋／−ボタンＫ１０の操作で設定値の選択が行われる。
【００９３】
上述したように、メニュー画面で設定項目の選択、設定値の選択および設定値の確定に使用されるのは、＋／−ボタンＫ７と、ＡＭＳ＋／−ボタンＫ１０と、ＥＮＴＥＲボタンＫ１２である。
【００９４】
このため、メニュー画面の表示時には、メニューの設定に関連する＋／−ボタンＫ７、ＡＭＳ＋／−ボタンＫ１０およびＥＮＴＥＲボタンＫ１２の点灯色と、ＳＯＵＲＣＥボタンＫ１、ＯＦＦボタンＫ４およびＯＰＥＮボタンＫ８の点灯色を異ならせて、操作に関連する操作ボタンをグループ分けしても良い。
【００９５】
例えば、図９（ａ）に示すように、メニューの設定に関連する＋／−ボタンＫ７、ＡＭＳ＋／−ボタンＫ１０およびＥＮＴＥＲボタンＫ１２は「青色」で点灯させ、ＳＯＵＲＣＥボタンＫ１、ＯＦＦボタンＫ４およびＯＰＥＮボタンＫ８は「赤色」で点灯させる。
【００９６】
これにより、メニュー画面で有効となっている操作ボタンの中で、メニューの設定で使用する操作ボタンを容易に認識できるようになるので、更に使い勝手が向上する。
【００９７】
なお、操作ボタンの発光色を変更するには、図２に示す発光部１３として例えば２色の異なる色で発光できるダイオード等を用いればよい。また、このような発光部を備えることで、ユーザの好みに合わせて操作ボタンの発光色を設定することも可能となる。例えば、操作ボタンの使用頻度に応じてユーザが良く使用する操作ボタンとあまり使用しない操作ボタンで発光色を変えることも可能となる。
【００９８】
更に、メニュー画面に入った場合、ユーザは何らかの設定変更を行い、例えば時計表示に戻ったり、後述するようにＣＤの再生表示に戻ると考えられる。このため、メニュー画面の表示中は、メニューの設定に関連する＋／−ボタンＫ７、ＡＭＳ＋／−ボタンＫ１０およびＥＮＴＥＲボタンＫ１２を点滅させても良い。
【００９９】
これにより、メニュー画面で有効となっている操作ボタンの中で、メニューの設定で使用する操作ボタンが強調され、操作を誘導することが可能となる。なお、車載オーディオ機器では、運転中は操作ボタンは点灯している方が運転に集中できる。このため、運転停止中に操作を行うメニュー画面等の設定画面でのみ、操作が有効な操作ボタンを点滅させ、ソースＯＦＦ時やＣＤ再生中等は、同じ操作ボタンであっても、操作が有効な場合は点灯状態とする。
【０１００】
＜ＣＤ再生時の操作ボタン点灯処理＞
図６はＣＤ再生時の各操作ボタンの点灯処理を示すフローチャートである。フローチャート３００の処理は、図４に示すステップ１０１で制御部６が車載オーディオ機器１の動作状態をチェックして、車載オーディオ機器１が「ＣＤ再生」の状態であると判断した場合に実行される。
【０１０１】
ステップ３０１は、車載オーディオ機器１の状態が、ＣＤ再生時の通常表示である「再生表示」の状態かどうかをチェックしている。本例では、ＣＤ再生時に表示される画面として、「再生表示」以外に「メニュー表示」、「サウンド表示」および「リスト表示」の計４種類の画面が表示され、表示される画面に応じて各操作ボタンの点灯パターンが設定されている。
【０１０２】
ステップ３０２は、車載オーディオ機器１においてＣＤ再生時で再生表示中に操作が有効な操作ボタンを点灯させる処理を示す。ＣＤ再生時で再生表示中は、制御部６はＳＯＵＲＣＥボタンＫ１と、ＯＦＦボタンＫ４と、ＳＯＵＮＤボタンＫ６と、ＯＰＥＮボタンＫ８と、ＭＥＮＵボタンＫ９と、ＡＭＳ＋／−ボタンＫ１０での操作を有効とする。
【０１０３】
このため、制御部６はこれらＳＯＵＲＣＥボタンＫ１、ＯＦＦボタンＫ４、ＳＯＵＮＤボタンＫ６、ＯＰＥＮボタンＫ８、ＭＥＮＵボタンＫ９およびＡＭＳ＋／−ボタンＫ１０の発光部をそれぞれ点灯させ、その他の操作ボタンの発光部は消灯させる。
【０１０４】
図１０はＣＤ再生時で再生表示中の操作パネルの状態例を示す説明図である。現在、ＣＤには、曲名を表すトラック名、またはアルバム名を表すディスク名等の文字情報が識別情報として記録されているものがある。
【０１０５】
本例では、ＣＤ再生時で再生表示中は、後述するように文字情報の有無で操作ボタンの点灯パターンが切り替えられる。図１０（ａ）に文字情報を記録していないＣＤがセットされている場合の操作パネルの状態を示す。
【０１０６】
文字情報が記録されていない場合は、上述したようにＳＯＵＲＣＥボタンＫ１、ＯＦＦボタンＫ４、ＳＯＵＮＤボタンＫ６、ＯＰＥＮボタンＫ８、ＭＥＮＵボタンＫ９およびＡＭＳ＋／−ボタンＫ１０が点灯し、他の６個の操作ボタンは消灯した状態である。
【０１０７】
これにより、ＣＤ再生時の再生表示中に操作が有効な操作ボタンと、操作が無効な操作ボタンが各ボタンの点灯の有無で区別される。なお、表示部５には再生しているトラック番号、再生時間等が表示される。
【０１０８】
ＣＤ再生時の再生表示では、ＳＯＵＲＣＥボタンＫ１は、本例では、ソースとしてＣＤ以外にチューナが存在するので、ソースを選択する際に使用されるため操作を有効とする。ＣＤ再生時にＳＯＵＲＣＥボタンＫ１が押されると、制御部６はソースとしてチューナを選択する。
【０１０９】
ＯＦＦボタンＫ４は、ソースをＯＦＦする際と、ユーザが車載オーディオ機器１を強制的にサスペンド状態に移行させる際に使用されるため操作を有効とする。ＣＤ再生時にＯＦＦボタンＫ４が押された場合、ＯＦＦボタンＫ４の押下時間が２秒未満である場合は、制御部６は各ソースをＯＦＦの状態とする。ＯＦＦボタンＫ４が２秒長押しされると、制御部６は車載オーディオ機器１をサスペンド状態に移行する。
【０１１０】
ＳＯＵＮＤボタンＫ６は、車載オーディオ機器１においてオーディオの出力調整に関連するメニューであるサウンド画面を表示する際に使用されるため操作を有効とする。ＳＯＵＮＤボタンＫ６が押されると、制御部６は表示部５にサウンド画面を表示すると共に、後述するように操作ボタンの点灯パターンを切り替える。
【０１１１】
ＯＰＥＮボタンＫ８とＭＥＮＵボタンＫ９は、図５のフローチャート２００のステップ２０３の説明と同様の理由により操作を有効とする。これにより、ＯＰＥＮボタンＫ８が押されると、制御部６は操作パネル９を開き、ＣＤの着脱をできる状態とする。また、ＭＥＮＵボタンＫ９が押されると、制御部６は表示部５にＣＤ再生に関するメニュー画面を表示すると共に、後述するように操作ボタンの点灯パターンを切り替える。
【０１１２】
ＡＭＳ＋／−ボタンＫ１０は、ＣＤの再生するトラックを変更する際に使用されるため操作を有効とする。ＡＭＳ＋／−ボタンＫ１０の＋ボタンが押されると、制御部６は再生するトラックを１つ先のトラックに先送りし、−ボタンが押されると、再生するトラックを１つ前のトラックに戻す。
【０１１３】
図６に戻り、ステップ３０３は、複数枚のＣＤが存在するかどうかをチェックしている。本例の車載オーディオ機器１は、ＣＤチェンジャ８が接続されている場合に複数枚のＣＤが存在することがあるので、このステップ３０３の判断を行っている。
【０１１４】
ステップ３０４は、複数枚のＣＤが存在するとステップ３０３で判断された場合に、操作が有効となる操作ボタンを点灯させる処理を示す。複数枚のＣＤが存在する場合、制御部６はステップ３０２で点灯させた操作ボタンに加えて、＋／−ボタンＫ７とＬＩＳＴボタンＫ１１を点灯させ、＋／−ボタンＫ７とＬＩＳＴボタンＫ１１での操作を有効とする。
【０１１５】
複数枚のＣＤが存在する場合、＋／−ボタンＫ７は、再生対象として現在選択されているＣＤから順に再生対象のＣＤを切り替える際に使用される。これに対して、ＬＩＳＴボタンＫ１１は、選択可能なＣＤをリスト表示して、その中から所望のＣＤを選択する際に使用される。
【０１１６】
すなわち、＋／−ボタンＫ７の＋ボタンが押されると、制御部６は、現在再生対象として選択しているＣＤに割り当てられた番号を基準にして、番号が増える方向に順に別のＣＤを選択する。また、＋／−ボタンＫ７の−ボタンが押されると、番号が減る方向に順に別のＣＤを選択する。
【０１１７】
なお、ステップ３０３で複数枚のＣＤが存在しないと判断された場合は、ステップ３０２で有効にした操作ボタンがそのまま点灯している。
【０１１８】
ステップ３０５は、再生しているＣＤに、曲名を表すトラック名、またはアルバム名を表すディスク名等の文字情報が記録されているかどうかをチェックしている。現在、ＣＤ等のディスクには、音楽情報以外に文字情報が記録されているものがあり、文字情報の有無に応じて操作ボタンの点灯パターンを切り替えるため、このステップ３０５で判断を行っている。
【０１１９】
ステップ３０６は、ＣＤに文字情報が記録されているとステップ３０５で判断された場合に、操作が有効となる操作ボタンを点灯させる処理を示す。文字情報が記録されている場合、制御部６はステップ３０２で点灯させた操作ボタン、あるいはステップ３０３での判断に応じてステップ３０４で点灯させた操作ボタンに加えて、ＤＳＰＬボタンＫ２を点灯させ、ＤＳＰＬボタンＫ２での操作を有効とする。
【０１２０】
図１０（ｂ）に文字情報を記録しているＣＤがセットされている場合の操作パネルの状態を示す。文字情報が記録されている場合は、ＳＯＵＲＣＥボタンＫ１、ＯＦＦボタンＫ４、ＳＯＵＮＤボタンＫ６、ＯＰＥＮボタンＫ８、ＭＥＮＵボタンＫ９およびＡＭＳ＋／−ボタンＫ１０に加え、ＤＳＰＬボタンＫ２が点灯し、他の５個の操作ボタンは消灯した状態である。
【０１２１】
これにより、ＣＤに文字情報が記録されているかどうかを、ユーザはＤＳＰＬボタンＫ２の点灯の有無で判断できる。すなわち、ＣＤに文字情報が記録されていない場合は、ＤＳＰＬボタンＫ２が消灯しているので、ユーザは何ら操作をすることなく、ＣＤにディスク名等の文字情報が含まれていないと判断できる。
【０１２２】
これに対して、ＣＤに文字情報が記録されている場合は、ＤＳＰＬボタンＫ２が点灯しているので、ユーザはＣＤにディスク名等の文字情報が含まれていると判断できる。
【０１２３】
ＣＤに文字情報が記録されている場合、ＤＳＰＬボタンＫ２は、ＤＴＭＳという通常の表示以外にトラック名やディスク名を表示する画面に表示を切り替える際に使用される。
【０１２４】
図６に戻り、ステップ３０７は、ＣＤに文字情報が記録されているとステップ３０５で判断された場合に、文字情報の文字数が表示部５における表示可能文字数を超えるかどうかをチェックしている。なお、このステップ３０７の判断は、文字情報が記録されている場合にのみ必要となるので、文字情報が記録されていない場合はステップ３０７の判断は行われない。また、続くステップ３０８の処理も行われない。
【０１２５】
ステップ３０８は、文字情報の文字数が表示部５における表示可能文字数を超えると判断された場合に、操作が有効となる操作ボタンを点灯させる処理を示す。文字情報の文字数が表示可能文字数を超える場合、制御部６はステップ３０２で点灯させた操作ボタン、あるいはステップ３０３での判断に応じてステップ３０４で点灯させた操作ボタンと、ステップ３０６で点灯させた操作ボタンに加えて、ＳＣＲＬボタンＫ３を点灯させ、ＳＣＲＬボタンＫ３での操作を有効とする。
【０１２６】
文字情報の文字数が表示可能文字数を超える場合、ＳＣＲＬボタンＫ３は、表示部５における表示可能文字数を超えた部分の文字列を、ユーザの操作によりスクロールして表示する際に使用される。
【０１２７】
ステップ３０９は、ＣＤ再生時に「再生表示」を行っていないとステップ３０１で判断された場合、「メニュー画面」を表示している状態かどうかをチェックしている。
【０１２８】
本例では、ＣＤ再生時は、図１０に示す再生表示中にＭＥＮＵボタンＫ９が押されると、制御部６は操作パネル９では表示部５にメニュー画面を表示すると共に、操作ボタンの点灯パターンを切り替える。また、メニュー画面の表示を抜けると再生表示に戻る。
【０１２９】
ステップ３１０は、ＣＤ再生時でメニュー画面の表示中に有効な操作ボタンを点灯させる処理を示す。ＣＤ再生時でメニュー画面の表示中は、制御部６はＳＯＵＲＣＥボタンＫ１、ＯＦＦボタンＫ４、＋／−ボタンＫ７、ＯＰＥＮボタンＫ８、およびＥＮＴＥＲボタンＫ１２での操作を有効としてこれら操作ボタンを点灯させ、その他の操作ボタンは消灯させる。
【０１３０】
このステップ３１０の処理は、図５に示すフローチャート２００のステップ２０５と同様の処理である。すなわち、＋／−ボタンＫ７の操作で設定項目が選択され、ＥＮＴＥＲボタンＫ１２の操作でメニュー画面を抜ける。但し、＋／−ボタンＫ７の操作で選択される設定項目は、ＣＤ再生に関連する項目となる。
【０１３１】
ステップ３１１、３１２、３１３、３１４の処理は、フローチャート２００のステップ２０６、２０７、２０８、２０９の処理と同じ内容である。すなわち、＋／−ボタンＫ７の操作で選択される設定項目に応じて、ＡＭＳ＋／−ボタンＫ１０の＋ボタンのみを点灯させるか、ＡＭＳ＋／−ボタンＫ１０の＋ボタンと−ボタンの両方を点灯させるかが切り替えられる。このため、ステップ３１１、３１２、３１３、３１４の詳細な説明は省略する。
【０１３２】
ステップ３１５は、ＣＤ再生時に「再生表示」を行っていないとステップ３０１で判断され、ステップ３０９で「メニュー画面」を表示していないと判断された場合、オーディオの出力調整に関連するメニューである「サウンド画面」を表示している状態かどうかをチェックしている。
【０１３３】
本例では、ＣＤ再生時は、図１０に示す再生表示中にＳＯＵＮＤボタンＫ６が押されると、制御部６は操作パネル９では表示部５にサウンド画面を表示すると共に、操作ボタンの点灯パターンを切り替える。また、サウンド画面の表示を抜けると再生表示に戻る。
【０１３４】
ステップ３１６は、ＣＤ再生時でサウンド画面の表示中に有効な操作ボタンを点灯させる処理を示す。ＣＤ再生時でサウンド画面の表示中は、制御部６はＳＯＵＲＣＥボタンＫ１、ＯＦＦボタンＫ４、＋／−ボタンＫ７、ＯＰＥＮボタンＫ８、ＡＭＳ＋／−ボタンＫ１０およびＥＮＴＥＲボタンＫ１２での操作を有効としてこれら操作ボタンを点灯させ、その他の操作ボタンは消灯させる。
【０１３５】
このステップ３１６の処理も、図５に示すフローチャート２００のステップ２０５とほぼ同様の処理であるが、＋／−ボタンＫ７の操作で選択される設定項目は音に関わるものとなる。
【０１３６】
例えば、低音の強さを調整するＢＡＳ（ｂａｓｓ）や高音の強さを調整するＴＲＥ（ｔｒｅｂｌｅ）、スピーカ左右のバランスを調整するＢＡＬ（ｌｅｆｔ−ｒｉｇｈｔ）やフロントスピーカとリアスピーカの出力レベルを調整するＦＡＤ（ｆｒｏｎｔ  Ｒｅａｒ）等が、サウンド画面での設定項目として選択可能となっている。
【０１３７】
これら設定項目の設定値は、ＯＮとＯＦＦの切り替えではなく複数の設定値やレベルから選択するため、設定値を選択する操作ボタンとしてＡＭＳ＋／−ボタンＫ１０が点灯する。
【０１３８】
ステップ３１７は、ＣＤ再生時に「再生表示」を行っていないとステップ３０１で判断され、ステップ３０９で「メニュー画面」を表示していないと判断され、ステップ３１５で「サウンド画面」を表示していないと判断された場合、「リスト画面」を表示している状態かどうかをチェックしている。
【０１３９】
なお、リスト画面が表示がされるのは、複数枚のＣＤが存在するときである。すなわち、本例ではＣＤチェンジャ８が接続されている場合で、かつＣＤチェンジャ８に複数のＣＤがセットされている場合である。
【０１４０】
この場合、本例ではＣＤ再生時に表示される画面は、「再生表示」、「メニュー表示」、「サウンド表示」および「リスト表示」の計４種類なので、ステップ３１７の判断でリスト画面の表示ではないと判断されることはない。
【０１４１】
従って、本例では、フローチャート３００からステップ３１７の判断は省略してもよいが、ＣＤ再生時の表示画面が加わりチェック項目が更に増えた場合は、ステップ３１７の判断が必要となる。このため、ステップ３１７の判断を入れている。これに対して、ＣＤチェンジャ８を備えていない場合等は、ステップ３１７およびステップ３１８の処理を省略する例も考えられる。
【０１４２】
ステップ３１８は、ＣＤ再生時でリスト画面の表示中に有効な操作ボタンを点灯させる処理を示す。ＣＤ再生時でリスト画面の表示中は、制御部６はＳＯＵＲＣＥボタンＫ１、ＯＦＦボタンＫ４、＋／−ボタンＫ７およびＥＮＴＥＲボタンＫ１２での操作を有効としてこれら操作ボタンを点灯させ、その他の操作ボタンは消灯させる。
【０１４３】
リスト画面で表示される情報は、例えばディスク番号と、ＣＤに文字情報としてディスク名が記録されている場合はディスク名である。また、文字情報が記録されていない場合で、ユーザが各ＣＤに対応したディスクラベルを登録した場合は、そのラベルである。
【０１４４】
但し、リスト画面表示中は、ＳＣＲＬボタンＫ３の操作は無効であるので、ディスク名やディスクラベルの文字数が表示部５の表示可能文字数を超える場合、ディスク名の先頭から表示可能な文字数分だけ文字列が表示され、表示可能文字数を超える部分は表示されない。
【０１４５】
リスト画面が表示されている場合、＋／−ボタンＫ７はディスク番号を選択する際に使用される。ＥＮＴＥＲボタンＫ１２は選択されたディスク番号を再生対象のＣＤとして確定する際に使用される。
【０１４６】
＜チューナ再生時の操作ボタン点灯処理＞
図７はチューナ再生時の各操作ボタンの点灯処理を示すフローチャートである。フローチャート４００の処理は、図４に示すステップ１０１で制御部６が車載オーディオ機器１の動作状態をチェックして、車載オーディオ機器１が「チューナ再生」の状態であると判断した場合に実行される。
【０１４７】
ステップ４０１は、車載オーディオ機器１の状態がチューナでラジオを聞いている場合の通常表示である「受信表示」の状態かどうかをチェックしている。受信表示では、操作パネル９の表示部５には、同調している周波数を表示しているか、予め登録された放送局名の周波数と同調している周波数が同じであれば、登録されている放送局名を表示している。
【０１４８】
ステップ４０２は、車載オーディオ機器１においてチューナ再生時で受信表示中に操作を有効とする必須の操作ボタンを点灯させる処理を示す。チューナ再生時で受信表示中は、制御部６はＯＦＦボタンＫ４と、ＭＯＤＥボタンＫ５と、ＳＯＵＮＤボタンＫ６と、＋／−ボタンＫ７と、ＯＰＥＮボタンＫ８と、ＭＥＮＵボタンＫ９と、ＬＩＳＴボタンＫ１１での操作を有効とする。
【０１４９】
このため、制御部６はこれらＯＦＦボタンＫ４、ＭＯＤＥボタンＫ５、ＳＯＵＮＤボタンＫ６、＋／−ボタンＫ７、ＯＰＥＮボタンＫ８、ＭＥＮＵボタンＫ９およびＬＩＳＴボタンＫ１１の発光部をそれぞれ点灯させ、その他の操作ボタンの発光部は消灯させる。
【０１５０】
ここで、チューナ再生時、本例の車載オーディオ機器１ではＣＤがセットされていない場合はチューナ以外に選択できるソースが存在しない。このため、チューナ再生時の必須の操作ボタンにＳＯＵＲＣＥボタンＫ１を含んでいない。ＳＯＵＲＣＥボタンＫ１の点灯は、ＣＤの有無に応じて制御される。
【０１５１】
チューナ再生時の受信表示では、ＭＯＤＥボタンＫ５は、ＡＭ放送とＦＭ放送を切り替える際等に使用されるため操作を有効とする。ＭＯＤＥボタンＫ５が押されると、ＭＯＤＥボタンＫ５を押す毎に、ＦＭ１→ＦＭ２→ＦＭ３→ＡＭ１→ＡＭ２→ＦＭ１・・・と順に放送局が切り替わる。
【０１５２】
また、図示しないが車載オーディオ機器１のリモートコンロトール装置に設けられたプリセット登録ボタンを利用することで、選局を行えるようになっているが、１つのプリセット登録ボタンに複数の放送局を登録できるようにするため、バンクと称するグループでプリセットされた放送局を管理できるようになっている。
【０１５３】
このバンクの切り替えも、ＭＯＤＥボタンＫ５の操作で行えるようになっている。これにより、複数のユーザがそれぞれプリセット登録ボタンを使用できるようになっている。
【０１５４】
＋／−ボタンＫ７は、プリセットされた放送局を選択する際に使用されるため操作を有効とする。
【０１５５】
ＬＩＳＴボタンＫ１１は、プリセットされた放送局をリスト表示する際に使用されるため操作を有効とする。ＬＩＳＴボタンＫ１１が押されると、制御部１１は表示部５にリスト画面を表示すると共に、後述するように操作ボタンの点灯パターンを切り替える。
【０１５６】
ＳＯＵＮＤボタンＫ６、ＯＰＥＮボタンＫ８およびＭＥＮＵボタンＫ９は、図５のフローチャート２００のステップ２０３および図６のフローチャート３００のステップ３０２と同様の理由により操作を有効とする。
【０１５７】
これにより、ＳＯＵＮＤボタンＫ６が押されると、制御部６は表示窓にサウンド画面を表示すると共に、後述するように操作ボタンの点灯パターンを切り替える。また、ＭＥＮＵボタンＫ９が押されると、制御部６は表示部５にチューナ再生に関するメニュー画面を表示すると共に、後述するように操作ボタンの点灯パターンを切り替える。更に、ＯＰＥＮボタンＫ８が押されると、制御部６は操作パネル９を開き、ＣＤの着脱をできる状態とする。
【０１５８】
ステップ４０３は、車載オーディオ機器１にＣＤがセットされているかどうかチェックしている。
【０１５９】
ステップ４０４は、ＣＤがセットされているとステップ４０３で判断された場合に、操作が有効となる操作ボタンを点灯させる処理を示す。ＣＤがセットされている場合はチューナ以外に選択できるソースが存在するので、制御部６はステップ４０２で点灯させて操作が有効であることを示した操作ボタンに加えて、ＳＯＵＲＣＥボタンＫ１を点灯させＳＯＵＲＣＥボタンＫ１での操作を有効とする。
【０１６０】
ステップ４０５は、プリセットされた放送局に放送局名が登録されているかどうかチェックしている。
【０１６１】
ステップ４０６は、プリセットされた放送局に放送局名が登録されているとステップ４０５で判断された場合に、操作が有効となる操作ボタンを点灯させる処理を示す。
【０１６２】
放送局名が登録されている場合は、制御部６はステップ４０２で点灯させた操作ボタン、更にステップ４０３の判断に応じてステップ４０４で点灯させた操作ボタンに加えて、ＤＳＰＬボタンＫ２を点灯させ、ＤＳＰＬボタンＫ２での操作を有効とする。
【０１６３】
放送局名が登録されている場合、ＤＳＰＬボタンＫ２が押されると、制御部６は、表示部５の表示画面を、８１．××ＭＨｚのような周波数の表示から、予め登録されているＦＭ××のような放送局名の表示に切り替える。
【０１６４】
ステップ４０７は、放送局名が登録されているとステップ４０５で判断された場合に、放送局名の文字数が表示部５における表示可能文字数を超えるかどうかをチェックしている。なお、このステップ４０７の判断は、放送局名が予め登録されている場合にのみ必要となるので、放送局名が登録されていない場合はステップ４０７の判断は行われない。また、続くステップ４０８の処理も行われない。
【０１６５】
ステップ４０８は、登録されている放送局名の文字数が表示部５における表示可能文字数を超えると判断された場合に、操作が有効となる操作ボタンを点灯させる処理を示す。放送局名の文字数が表示可能文字数を超える場合、制御部６はステップ４０２で点灯させた操作ボタン、あるいはステップ４０３での判断に応じてステップ４０４で点灯させた操作ボタンと、ステップ４０６で点灯させた操作ボタンに加えて、ＳＣＲＬボタンＫ３を点灯させ、ＳＣＲＬボタンＫ３での操作を有効とする。
【０１６６】
放送局名の文字数が表示可能文字数を超える場合、ＳＣＲＬボタンＫ３は、表示部５における表示可能文字数を超えた部分の文字列を、ユーザの操作によりスクロールして表示する際に使用される。
【０１６７】
ステップ４０９は、チューナ再生時に「受信表示」を行っていないとステップ４０１で判断された場合、「メニュー画面」を表示している状態かどうかをチェックしている。
【０１６８】
本例では、チューナ再生時は、受信表示中にＭＥＮＵボタンＫ９が押されると、制御部６は表示部５にメニュー画面を表示すると共に、操作ボタンの点灯パターンを切り替える。また、メニュー画面の表示を抜けると受信表示に戻る。
【０１６９】
ステップ４１０は、チューナ再生時でメニュー画面の表示中に有効な操作ボタンを点灯させる処理を示す。チューナ再生時でメニュー画面の表示中は、制御部６はＯＦＦボタンＫ４、＋／−ボタンＫ７、ＯＰＥＮボタンＫ８、およびＥＮＴＥＲボタンＫ１２での操作を有効としてこれら操作ボタンを点灯させ、その他の操作ボタンは消灯させる。
【０１７０】
このステップ４１０の処理は、ＳＯＵＲＣＥボタンＫ１の点灯制御に関連する処理以外は図５に示すフローチャート２００のステップ２０５および図６に示すフローチャート３００のステップ３１０とほぼ同様の処理である。すなわち、＋／−ボタンＫ７の操作で設定項目が選択され、ＥＮＴＥＲボタンＫ１２の操作でメニュー画面を抜ける。但し、＋／−ボタンＫ７の操作で選択される設定項目は、チューナ再生に関連する項目となる。
【０１７１】
ＳＯＵＲＣＥボタンＫ１の点灯は、ステップ４１１とステップ４１２によりＣＤの有無に応じて制御される。すなわち、ステップ４１１は、車載オーディオ機器１にＣＤがセットされているかどうかチェックしている。
【０１７２】
ステップ４１２は、ＣＤがセットされているとステップ４１１で判断された場合に、操作が有効となる操作ボタンを点灯させる処理を示す。ＣＤがセットされている場合は、制御部６はステップ４１０で点灯させた操作ボタンに加えて、ＳＯＵＲＣＥボタンＫ１を点灯させＳＯＵＲＣＥボタンＫ１での操作を有効とする。
【０１７３】
ステップ４１３、４１４、４１５、４１６の処理は、フローチャート２００のステップ２０６、２０７、２０８、２０９の処理およびフローチャート３００のステップ３１１、３１２、３１３、３１４の処理の処理と同じ内容である。
【０１７４】
すなわち、＋／−ボタンＫ７の操作で選択される設定項目に応じて、ＡＭＳ＋／−ボタンＫ１０の＋ボタンのみを点灯させるか、ＡＭＳ＋／−ボタンＫ１０の＋ボタンと−ボタンの両方を点灯させるかが切り替えられる。このため、ステップ４１３、４１４、４１５、４１６の詳細な説明は省略する。
【０１７５】
ステップ４１７は、チューナ再生時に「受信表示」を行っていないとステップ４０１で判断され、ステップ４０９で「メニュー画面」を表示していないと判断された場合、オーディオの出力調整に関連するメニューである「サウンド画面」を表示している状態かどうかをチェックしている。
【０１７６】
チューナ再生時は、受信表示中にＳＯＵＮＤボタンＫ６が押されると、制御部６は表示部５にサウンド画面を表示すると共に、操作ボタンの点灯パターンを切り替える。また、サウンド画面の表示を抜けると受信表示に戻る。
【０１７７】
ステップ４１８は、チューナ再生時でサウンド画面の表示中に有効な操作ボタンを点灯させる処理を示す。チューナ再生時でサウンド画面の表示中は、制御部６はＯＦＦボタンＫ４、＋／−ボタンＫ７、ＯＰＥＮボタンＫ８、およびＥＮＴＥＲボタンＫ１２での操作を有効としてこれら操作ボタンを点灯させ、その他の操作ボタンは消灯させる。
【０１７８】
チューナ再生時のサウンド画面に関する処理も、フローチャート３００で説明したＣＤ再生時の処理とほぼ同様であるが、ＳＯＵＲＣＥボタンＫ１の点灯制御のため、ステップ４１９とステップ４２０の処理を行っている。すなわち、ステップ４１９は、車載オーディオ機器１にＣＤがセットされているかどうかチェックしている。
【０１７９】
ステップ４２０は、ＣＤがセットされているとステップ４１９で判断された場合に、制御部６はステップ４１８で点灯させた操作ボタンに加えてＳＯＵＲＣＥボタンＫ１を点灯させＳＯＵＲＣＥボタンＫ１での操作を有効とする。
【０１８０】
ステップ４２１は、チューナ再生時に「受信表示」を行っていないとステップ４０１で判断され、ステップ４０９で「メニュー画面」を表示していないと判断され、ステップ４１７で「サウンド画面」を表示していないと判断された場合、「リスト画面」を表示している状態かどうかをチェックしている。
【０１８１】
ステップ４２２は、チューナ再生時でリスト画面の表示中に有効な操作ボタンを点灯させる処理を示す。チューナ再生時でリスト画面の表示中は、制御部６はＯＦＦボタンＫ４、＋／−ボタンＫ７およびＥＮＴＥＲボタンＫ１２での操作を有効としてこれら操作ボタンを点灯させ、その他の操作ボタンは消灯させる。
【０１８２】
また、ＳＯＵＲＣＥボタンＫ１の点灯制御のため、ステップ４２３とステップ４２４の処理を行っている。すなわち、ステップ４２３は、車載オーディオ機器１にＣＤがセットされているかどうかチェックしている。
【０１８３】
ステップ４２４は、ＣＤがセットされているとステップ４２３で判断された場合に、制御部６はステップ４２２で点灯させた操作ボタンに加えてＳＯＵＲＣＥボタンＫ１を点灯させＳＯＵＲＣＥボタンＫ１での操作を有効とする。
【０１８４】
チューナ再生時のリスト画面で表示される情報は、プリセット番号と放送局の周波数、または予め登録された放送局名である。
【０１８５】
但し、リスト画面表示中は、ＳＣＲＬボタンＫ３の操作は無効であるので、放送局名の文字数が表示部５の表示可能文字数を超える場合、放送局名の先頭から表示可能な文字数分だけ文字列が表示され、表示可能文字数を超える部分は表示されない。
【０１８６】
リスト画面が表示されている場合、＋／−ボタンＫ７はプリセット番号を選択する際に使用される。ＥＮＴＥＲボタンＫ１２は選択されたプリセット番号の放送局を再生対象として確定する際に使用される。
【０１８７】
＜効果＞
以上説明したように、本実施の形態の車載オーディオ機器１では、動作状況に応じて操作が有効な操作ボタンと、操作が無効な操作ボタンが各ボタンの点灯の有無で区別される。これにより、ユーザは複数の操作ボタンの中から操作が行える操作ボタンを容易に認識でき、操作性が向上する。
【０１８８】
また、操作が有効な操作ボタンを点滅させることで、操作が行える操作ボタンをより強調して認識させることができる。更に、発光色を変えることでも、操作が行える操作ボタンをより強調して認識させることができる。
【０１８９】
また、ＣＤに付随するディスク名等の文字情報の有無を、文字情報を表示する際に使用される操作ボタンの点灯の有無で認識できる。
【産業上の利用可能性】
【０１９０】
本発明は、複数の操作ボタンを有し、かつ、機器の動作状態に応じて操作が有効となる操作ボタンと操作が無効となる操作ボタンが存在する各種電子機器に適用して、操作性を向上させることができる。
【図面の簡単な説明】
【０１９１】
【図１】本実施の形態の車載オーディオ機器の構成例を示すブロック図である。
【図２】操作ボタンの構成例を示す側断面図である。
【図３】車載オーディオ機器の操作パネルの構成例を示す正面図である。
【図４】車載オーディオ機器の全体的な処理を示すフローチャートである。
【図５】ソースＯＦＦ時の各操作ボタンの点灯処理を示すフローチャートである。
【図６】ＣＤ再生時の各操作ボタンの点灯処理を示すフローチャートである。
【図７】チューナ再生時の各操作ボタンの点灯処理を示すフローチャートである。
【図８】ソースＯＦＦ時で時計表示中の操作パネルの状態例を示す説明図である。
【図９】ソースＯＦＦ時でメニュー表示中の操作パネルの状態例を示す説明図である。
【図１０】ＣＤ再生時で再生表示中の操作パネルの状態例を示す説明図である。
【符号の説明】
【０１９２】
１・・・車載オーディオ機器、２・・・ディスクドライブ部、３・・・チューナ部、４・・・入力部、５・・・表示部、６・・・制御部、９・・・操作パネル、Ｋ１〜Ｋ１２・・・操作ボタン、１１・・・カバー部、１３・・・発光部
【図１】
2005332189.tif 000003
【図２】
2005332189.tif 000004
【図３】
2005332189.tif 000005
【図４】
2005332189.tif 000006
【図５】
2005332189.tif 000007
【図６】
2005332189.tif 000008
【図７】
2005332189.tif 000009
【図８】
2005332189.tif 000010
【図９】
2005332189.tif 000011
【図１０】
2005332189.tif 000012